(57)【要約】      （修正有）【課題】保護シートを、ディスプレイ表面に貼り付ける際にディスプレイと保護シートとの間への気泡の混入を抑制できるディスプレイ保護膜形成具を提供する。【解決手段】ディスプレイ保護膜形成具１には、胴体部材２に設けられ、乾燥すると保護膜を形成する保護液を貯留した容体３と、当該容体に装着された塗布部５、及び保護液の塗布直後に、余分な保護液を拭取る拭取部７と塗布部蓋部材６と拭取部蓋部材８を備える。【選択図】図１
2012234003.tif 000002
【特許請求の範囲】
【請求項１】
携帯に適する大きさに形成された胴体部材の一端部に、保護液を収容し得る容体が設けられると共に、
胴体部材の他端部に拭取部が設けられ、
容体は、内部が保護液貯留部とされると共に外方に開口を向けて胴体部材に設けられ、
前記開口には、保護液を塗布するための塗布部が設けられ、
前記塗布部は、保護液を滲出させる塗布面を有し、
前記拭取部は、保護液を吸収する拭取面を有してなり、
携帯型情報端末装置のディスプレイ面上に前記塗布面によって塗布液を塗布した直後に、余分な保護液を前記拭取面によって拭き取り、保護液の乾燥によって保護膜を形成するために用いられる
ことを特徴とするディスプレイ保護膜形成具。
【請求項２】
携帯に適する大きさに形成された胴体部材の一端部に、保護液を収容し得る容体が装着されると共に、
胴体部材の他端部に拭取部が設けられ、
容体は、内部が保護液貯留部とされると共に外方に開口を向けて胴体部材に装着され、
前記開口には、保護液を塗布するための塗布部が設けられ、
前記塗布部は、保護液を滲出させる塗布面を有し、
前記拭取部は、保護液を吸収する拭取面を有してなり、
携帯型情報端末装置のディスプレイ面上に前記塗布面によって塗布液を塗布した直後に、余分な保護液を前記拭取面によって拭き取り、保護液の乾燥によって保護膜を形成するために用いられる
ことを特徴とする請求項１に記載のディスプレイ保護膜形成具。
【請求項３】
前記容体が胴体部材に着脱可能に取付けられてなる
ことを特徴とする請求項２に記載のディスプレイ保護膜形成具。
【請求項４】
前記胴体部材の一端部に、前記塗布部を被覆可能な塗布部蓋部材が取付けられると共に、前記胴体部材の他端部に、前記拭取部を被覆可能な拭取部蓋部材が取付けられ、
塗布部蓋部材及び拭取部蓋部材を、それぞれ開放位置において胴体部材に係止固定する塗布部開放係止部及び拭取部開放係止部が設けられている
ことを特徴とする請求項１〜３のいずれかに記載のディスプレイ保護膜形成具。
【発明の詳細な説明】
【技術分野】
【０００１】
本願発明は、携帯型情報端末に設けられたディスプレイを、傷や汚れ等の欠陥の発生から保護する保護液を塗布するディスプレイ保護膜形成具に関する。
【背景技術】
【０００２】
従来、携帯電話、携帯型情報検索端末、若しくは携帯型ゲーム機等の携帯型情報端末に設けられたディスプレイに傷や汚れ等の欠陥が発生することから保護するために透明保護シートが利用されている。
【先行技術文献】
【特許文献】
【０００３】
【特許文献１】特開２００２−３０５２５４号公報
【特許文献２】特開２００６−１５５４５２号公報
【発明の概要】
【発明が解決しようとする課題】
【０００４】
従来利用されている保護シートは、ディスプレイ表面に貼り付ける際にディスプレイと保護シートとの間に気泡が入り込み易い。気泡が入り込んだままでは見栄えが悪くなる他、ディスプレイがタッチパネル式の入力機能を有している場合には気泡が邪魔になり操作性が悪くなるという問題があった。
【０００５】
しかし、このような気泡が入らないように保護シートを貼り付けるためには熟練が必要であり、保護シートを張り直す際に当該保護シートを損傷させてしまい保護シートが無駄になってしまうという問題もあった。
【０００６】
さらに、保護シートを利用することによりディスプレイそのものは傷や汚れ等の欠陥の発生から保護されるが、その代わりに保護シートに欠陥が発生するため、ディスプレイの視認性を維持するためには保護シートを頻繁に張り替えなければならないという煩わしさがあった。
【課題を解決するための手段】
【０００７】
そこで、上記課題を解決する手段として本願発明に係るディスプレイ保護膜形成具は、携帯に適する大きさに形成された胴体部材の一端部に、保護液を収容し得る容体が設けられると共に、胴体部材の他端部に拭取部が設けられ、容体は、内部が保護液貯留部とされると共に外方に開口を向けて胴体部材に設けられ、前記開口には、保護液を塗布するための塗布部が設けられ、前記塗布部は、保護液を滲出させる塗布面を有し、前記拭取部は、保護液を吸収する拭取面を有してなり、携帯型情報端末装置のディスプレイ面上に前記塗布面によって塗布液を塗布した直後に、余分な保護液を前記拭取面によって拭き取り、保護液の乾燥によって保護膜を形成するために用いられることを特徴とする。
【０００８】
胴体部材は、携帯に適する大きさに形成されている。従って、胴体部材を手で把持することが可能であり、塗布部を携帯型情報端末装置のディスプレイに当接させて保護液を塗布可能な大きさであることが好ましい。なお、本願発明に係るディスプレイ保護膜形成具の大きさは、保護液の塗布作業をいつでも行なうことができるように、鞄などに収納して持ち運び可能な大きさに形成されていることが好ましい。より好ましくは、ディスプレイ保護膜形成具が衣服のポケットに収納可能な大きさに形成する。
【０００９】
塗布部は、貯蔵部に貯蔵された保護液を胴体部材の外部まで送り出すと共に、ディスプレイに保護液を塗布することができる機能を備えるものである。従って、塗布部は保護液を吸い上げることが可能な多孔質体（以下、多孔質塗布部材という。）を備えるものであることが望ましい。多孔質塗布部材としては、ポリエチレン樹脂若しくはウレタン樹脂からなる多孔質樹脂、又はポリエチレン及びウレタンの混合樹脂からなる多孔質樹脂であることが好ましい。また、多孔質塗布部材は発泡シリコンであっても好ましい。
【００１０】
また、塗布部は、前記多孔質塗布部材のみからなり容体の開口に直接挿し込まれるなどして設けられても良いが、より好ましくは多孔質塗布部材及び多孔質塗布部材を保持可能な塗布側保持部材とから構成される。塗布側保持部材を樹脂等で成形し、容体の開口に装着することで塗布部を安定に固定することができる。
【００１１】
塗布部には、ディスプレイに保護液を塗布するため保護液が滲出する塗布面が形成されており、前記多孔質塗布部材の先端部が平坦面に形成されてなるものが好ましい。塗布面が形成されていることによって、ディスプレイ全体への保護液の塗布を短時間で行なうことができる。
【００１２】
拭取部は、塗布部によってディスプレイ上に塗布された保護液のうち、余分な保護液を吸収して、保護液を均一な層に成形するために用いられる。
【００１３】
すなわち、塗布部をディスプレイに押付けながら掃引して保護液を塗布した場合、塗布中に塗布面から滲出する保護液の量が均一ではなかったり、塗布面の外周縁部分が既に塗布されている保護液を押しのけることによって、周囲とは異なる厚みに塗布された状態となる液斑が部分的に生ずる。
【００１４】
このような液斑を放置すると、保護液が乾燥して保護膜が形成された際に、液斑が隆起した状態で固化し、ディスプレイの美観を損なうほか、表示内容の視認性が低下する。また、若しくはタッチパネル型ディスプレイでは操作性にも支障を生じるという問題が生じる。
【００１５】
そこで、保護液が塗布部によって塗布された直後に、乾燥前の保護液が塗布されたディスプレイ上を拭取部で拭き取ることによって、拭取部が余分な保護液を吸収し、保護膜を均一な層状に成形することができる。
【００１６】
拭取部は、保護液を吸収する機能を有するものである。従って、拭取部には保護液を吸収することが可能な多孔質体（以下、多孔質拭取部材という。）が設けられていることが望ましい。多孔質拭取部材は、フェルトであることが好ましく、また、ポリエチレン樹脂若しくはウレタン樹脂からなる多孔質樹脂、又はポリエチレン及びウレタンの混合樹脂からなる多孔質樹脂を用いても好ましい。
【００１７】
なお拭取部は、余分な保護液を拭き取ると同時に、保護液を塗布直後よりも薄い薄膜状に引き延ばす効果も有するので、当該拭き取り作業で全ての保護液が除去されることはない。
【００１８】
また、拭取部は、前記多孔質拭取部材のみからなり胴体部材に直接固定されても良いが、より好ましくは多孔質拭取部材、及び多孔質拭取部材が保持可能な拭取側保持部材とから構成される。拭取側保持部材を樹脂等で成形して胴体部材に装着することで、拭取部を安定に固定することができる。
【００１９】
拭取部には拭取面が形成されており、前記多孔質拭取部材の先端部が平坦面に形成されてなるものが好ましい。拭取面が形成されていることによって、ディスプレイ全体への保護液の拭取作業を短時間で行なうことができる。
【００２０】
本願発明において、塗布部と拭取部とが胴体部材に設けられていることにより、保護液を塗布した直後の保護液が乾燥する前に、余分な保護液を液体状態で拭き取ることができるため、平滑な保護膜を容易に形成することができる。このため、ディスプレイの優れた視認性及び美観を保持することができる。また、タッチパネル型ディスプレイの操作性も阻害することがない。
【００２１】
容体は、胴体部材成形時に胴体部材と一体に形成されてもよく、または別途制作した後胴体部材に装着して形成されてもよい。容体を一体成形すれば部品点数を少なくすることができ、製造コストを低減させることができる。
【００２２】
また、容体を胴体部材に装着して形成する場合には、容体を胴体部材に固着させてもよく、また、容体が胴体部材に対して着脱可能に取付けられても好ましい。容体が胴体部材に対して着脱可能に取付けられることによって、保護液を使いきった後に、新しく保護液を貯留部に貯留させた容体に取り替えて本願発明を使用することができる。これにより、保護液を使い切った後にも容体の購入コストのみで本願発明を使い続けることができ、需要者の負担を軽減することができる。また、容体以外の部分は廃棄されずに使うことができるので環境に対する負担も減らすことができる。
【００２３】
胴体部材に対して着脱可能に形成された容体は、胴体部材に一端方向から挿し入れられて装着されていることが好ましい。これにより少なくとも容体の開口部分以外の部分が胴体部材の内部に格納されることで、容体を安定に保持することができる。
【００２４】
また、胴体部材に装着された容体は、容体の一部が胴体部材外部に露出した状態で装着されていてもよい。
【００２５】
容体の一部が胴体部材外部に露出して装着された場合には、例えば容体を胴体部材に対して着脱可能に形成した場合に、容体を胴体部材一端面に隣接する側面方向からの嵌め込み式で保持可能に形成させることができる。この場合には容体は胴体部材内部に格納されている必要はなく、容体が胴体部材側面から外部に露出した状態で保持されていても良い。この場合には、引き抜き式に比べて容体を脱離させるための力を軽減させることも可能である。
【００２６】
なお、容体が着脱可能に形成されている場合には、開口に塗布部を取り付けた状態で胴体部材に装着することが好ましい。
【００２７】
保護液としては、例えばシリコンエマルジョン、若しくはフッ素樹脂などの被膜材を含有する揮発性有機溶剤であることが好ましい。保護液は、ディスプレイ上に塗布後に薄膜状に乾燥及び固化する性質を有しており、揮発成分が揮発した後、前記被膜材がディスプレイ上を被膜して保護膜を形成する。当該保護膜がディスプレイ表面を傷や汚れなどの欠陥の発生から保護する。
【００２８】
また、前記胴体部材の一端部に、前記塗布部を被覆可能な塗布部蓋部材が取付けられると共に、前記胴体部材の他端部に、前記拭取部を被覆可能な拭取部蓋部材が取付けられ、塗布部蓋部材及び拭取部蓋部材を、それぞれ開放位置において胴体部材に係止固定する塗布部開放係止部及び拭取部開放係止部が設けられていることとしても好ましい。
【００２９】
塗布部蓋部材は、ディスプレイ保護膜形成具を持ち運ぶ際には閉塞した状態で用いられる。塗布部蓋部材が閉塞した状態においては、塗布部は、塗布部蓋部材の内部に格納された状態となるため、外部からの接触から保護される。一方、保護液を塗布する際には塗布部蓋部材を開放することにより塗布部を外部に露出させることができ、塗布面をディスプレイに当接させて保護液を塗布することができる。
【００３０】
また、胴体部材には塗布部蓋部材を開放位置において係止固定することができる塗布部開放係止部が設けられており、塗布部を下方に向けて塗布作業を行なう場合であっても塗布部蓋部材を開放位置に保持することができる。これにより、意図せずに塗布部蓋部材が閉塞位置に戻って塗布作業の邪魔になる、若しくは塗布作業中に塗布部蓋部材が紛失するといった問題の発生を防止することができる。
【００３１】
さらに、塗布部蓋部材は胴体部材の一端部に開閉可能に保持され、脱離できない状態に設けられていることが好ましい。このような構成により保護液の塗布作業を行なう際にも閉塞状態の塗布部蓋部材を一方の片手で開放位置に操作することができ、ディスプレイ保護膜形成具を持ち変えることなく塗布作業を行なうことができる。また、塗布作業終了後にも一方の片手で保持したまま塗布部蓋部材を閉塞状態にして次の拭取作業に迅速に移ることができ、手を保護液で汚すこともない。
【００３２】
拭取部蓋部材は、ディスプレイ保護膜形成具を持ち運ぶ際には閉塞した状態で用いられる。拭取部蓋部材が閉塞した状態においては、拭取部は、拭取部蓋部材の内部に格納された状態となるため、外部からの接触から保護される。一方、余分な保護液を拭き取る際には拭取部蓋部材を開放することにより拭取部を外部に露出させることができ、拭取面をディスプレイに当接させて拭取り作業を行なうことができる。
【００３３】
また、胴体部材には拭取部蓋部材を開放位置において係止固定することができる拭取部開放係止部が設けられており、拭取部を下方に向けて拭き取り作業を行なう場合であっても拭取部蓋部材を開放位置に保持することができる。これにより、意図せずに拭取部蓋部材が閉塞位置に戻って拭き取り作業の邪魔になる、若しくは拭き取り作業中に拭取部蓋部材が紛失するといった問題の発生を防止することができる。
【００３４】
さらに、拭取部蓋部材は胴体部材の一端部に開閉可能に保持され、脱離できない状態に設けられていることが好ましい。このような構成により余分な保護液の拭き取り作業を行なう際にも閉塞状態の拭取部蓋部材を一方の片手で開放位置に操作することができ、ディスプレイ保護膜形成具を持ち変えることなく拭き取り作業を行なうことができる。
【００３５】
なお、胴体部材、容体、塗布側保持部材、拭取側保持部材、塗布部蓋部、拭取部蓋部、塗布部開放係止部、及び拭取部開放係止部は、いずれも生分解性樹脂を用いて成形することができる。生分解性樹脂を用いて成形されたこれらの部品は土中等で分解させることができるため、廃棄後の環境への負担も軽減することができる。
【発明の効果】
【００３６】
本願発明によれば、保護膜形成時にディスプレイとの間に気泡を発生させることがなく保護膜形成後のディスプレイの美観を損なうことがない。
【００３７】
塗布された保護液のうちの余分な保護液は、保護液の塗布直後に拭取部によって拭取れるので、保護膜には液斑が残らず、膜厚の均一な膜を形成させることができる。このため、保護膜形成前のディスプレイと同等の優れた視認性と美観を保持することができる。
【００３８】
さらに、保護膜形成後に、携帯型情報端末を使用して保護膜に欠陥が生じた際には、先に形成した保護膜の表面上にさらに保護液を塗布し、余分な保護液を拭取部で拭き取ることによって膜厚の均一な保護膜を再形成させることができる。これにより、従来の保護シートを張り替えるよりも容易に、かつ継続してディスプレイの優れた視認性及び美観を保持することができる。
【図面の簡単な説明】
【００３９】
【図１】保護部蓋部材６及び拭取部蓋部材８を備え、蓋部材を閉塞状態に保持したディスプレイ保護膜形成具１の縦断面図である。
【図２】容体３の縦断面図及び塗布部５部分縦断面図（ａ）、容体３を塗布部５に装着する様子を示す図（ｂ）、並びに塗布部７の部分縦断面図を示す図（ｃ）である。
【図３】蓋部材を開放状態に保持し、塗布部５及び拭取部７を本体部材２から脱離させた状態のディスプレイ保護膜形成具１の縦断面図である。
【図４】保護部蓋部材６を開放状態としたディスプレイ保護膜形成具１の斜視図である。
【図５】ディスプレイ保護膜形成具１を使用してディスプレイＳに保護液Ｌを塗布する方法を説明する図である。
【図６】保護部蓋部材１０６及び拭取部蓋部材１０８を備え、蓋部材を閉塞状態に保持したディスプレイ保護膜形成具１の縦断面図である。
【図７】保護部蓋部材１０６を開放状態に保持したディスプレイ保護膜形成具１の縦断面図である。
【図８】保護部蓋部材１０６を開放状態としたディスプレイ保護膜形成具１の斜視図である。
【図９】蓋部材を閉塞状態に保持したディスプレイ保護膜形成具２０１の縦断面図である。
【図１０】蓋部材を開放状態に保持したディスプレイ保護膜形成具２０１の縦断面図である。
【発明を実施するための形態】
【００４０】
以下、本願発明に係る第一の実施形態を、図を参照しながら詳しく説明する。
【００４１】
図１は、本願発明に係るディスプレイ保護膜形成具１の縦断面図である。ディスプレイ保護膜形成具１は、中心部に胴体部材２を有しており、当該胴体部材２を手で保持して操作することができる。なお当該第一の実施形態において、胴体部材２の一端部は図１紙面上方向の胴体部材２の端部、他端部は図１紙面下方向の胴体部材２の端部を示す。
【００４２】
胴体部材２の一端部には、内部に保護液Ｌを貯留した容体３が格納されており、当該容体３の開口４に取付けられた塗布部５が、胴体部材２の一端から外方に突出して設置されている。また、胴体部材２の一方の側壁には塗布部蓋部材６が開閉可能に取り付けられており、ディスプレイ保護膜形成具１の不使用時には、塗布部５を被覆した閉塞状態に保持して外部からの接触から保護する。
【００４３】
一方、胴体部材２の他端部には、拭取部７が取付けられている。また、胴体部材２の他方の側壁には拭取部蓋部材８が開閉可能に取り付けられており、ディスプレイ保護膜形成具１の不使用時には、拭取部７を被覆した閉塞状態に保持して外部からの接触から保護する。
【００４４】
保護液Ｌは、図２（ａ）に示すように、容体３内部の貯留部９に貯留されている。また容体３上端の開口４には多孔質ポリウレタン樹脂からなる多孔質栓１０が嵌入され、保護液Ｌは一気にこぼれ出ない構成となっている。容体３は、前記開口４に塗布部５を装着して使用する。
【００４５】
容体３を装着した塗布部５は、図３に示すように胴体部材２の一端部に設けられた塗布部取付穴１１に挿入することにより、胴体部材２の一端部に着脱自在に設置される。このとき容体３は塗布部取付穴１１内部に格納される。
【００４６】
塗布部５は、先端部分にポリエチレン及びウレタンの混合樹脂からなる多孔質塗布部材１２と、該多孔質塗布部材１２を保持する塗布側保持部材１３とからなる。多孔質塗布部材１２は、塗布側保持部材１３を上下方向に貫通する貫通孔１４に挿入されて保持されている。多孔質塗布部材１２の一端面は保護液Ｌの塗布面１５である。塗布部５を容体３に装着すると、図２（ｂ）に示すように多孔質塗布部材１２の下端が前記多孔質栓１０の上端と当接させることができる。これにより、塗布部５を下方に向けることによって、保護液Ｌを、多孔質栓１０を介して多孔質塗布部材１２まで誘導し、塗布面１５から滲出させることができる。
【００４７】
塗布側保持部材１３の下端部側周面には塗布部環状突部１６が形成されており、当該塗布部環状突部１６が塗布部取付穴１１の内壁面に圧接されることによって、塗布部５が胴体部材２から抜け落ちることを防止できる。
【００４８】
塗布部蓋部材６は、胴体部材２の一方の側壁に沿って細長に形成された軸穴１７に、枢軸１８を挿通して取付けられている。枢軸１８は、軸穴１７内において一端方向又は他端方向に自由に移動可能である。塗布部蓋部材６には、胴体部材２の他方の側壁部と当接する部分に蓋係合部１９が設けられている。一方、胴体部材２一端部において他方の側壁側には、蓋係合部１９に対応する形状に形成された胴体係合部２０が設けられている。
【００４９】
従って、塗布部蓋部材６を閉塞し、胴体係合部２０に、蓋係合部１９を係合させることで、図１に示すように塗布部蓋部材６を閉塞状態に固定することができる。閉塞状態において、枢軸１８は軸穴１７の中間位置にあり、塗布部蓋部材６を開放する際には、初めに塗布部蓋部材６を一端方向に移動させた後、枢軸１８を回転軸として軸回転させることによって開放させることができる。
【００５０】
軸穴１７の他端部には、軸穴１７内面に突起が設けられることにより塗布部開放係止部２１が形成される。前記突起により軸穴１７の幅は枢軸１８の直径よりも小さく形成される。これにより、蓋係合部１９が軸穴１７の直上となる位置まで塗布部蓋部材６を開放させた後、塗布部蓋部材６を他端方向に移動させて枢軸１８を突起よりも他端側に押し込むことにより塗布側蓋部材６を固定し、一端側に戻らないようにすることができる。また、軸穴１７の一端の外面には係止溝２２が形成されており、蓋係合部１９を係止溝２２に係止することによって、図３に示すように塗布部蓋部材６を胴体部材２の一方の側壁に密着させた状態で固定することができる。また、図４には塗布部蓋部材６が開放された状態のディスプレイ保護膜形成具１の斜視図を示す。
【００５１】
拭取部７は、図２（ｃ）に示すように、フェルトによって形成された多孔質拭取部材２３と、該多孔質拭取部材２３を保持する拭取側保持部材２４とからなる。多孔質拭取部材２３は拭取側保持部材２４に設けられた保持孔２５に挿入されて保持されている。多孔質拭取部材２３の先端面は余分な保護液Ｌを吸収する拭取面２６を形成する。
【００５２】
胴体部材２の他端部には拭取部取付穴２７が形成されており、図３に示すように拭取側保持部材２４を当該拭取部取付穴２７に挿し込むことによって、拭取部７を取付けることができる。このような構成により、拭取部７は着脱自在に胴体部材２に取付けられる。
【００５３】
以上より、塗布部５及び拭取部７は、図１に示すように塗布面１５と拭取面２６とが同一軸上にあって反対方向を向いて胴体部材２を介して一体となるように設けられている。従って、以下の第一の実施形態の使用方法に説明するように、塗布部５を用いて保護液Ｌを塗布した直後に胴体部材２を反転させることで、保護液Ｌが乾燥する前に拭取部７を用いて余分な保護液Ｌの拭き取り作業を行なうことができる。
【００５４】
拭取部蓋部材８は、胴体部材２の他方の側壁に沿って細長に形成された軸穴１７に枢軸１８を挿通して取付けられている。枢軸１８は軸穴１７において一端方向又は他端方向に自由に移動可能である。また、軸穴１７の内面には突起が設けられることにより、拭取部開放係止部２８が形成されており、拭取部蓋部材８の閉塞状態の固定、開放動作、及び開放状態の固定は塗布部蓋部材６と同じ動作で行なうことができる。
【００５５】
次に、当該第一の実施形態における本願発明の使用方法について説明する。
【００５６】
まず塗布部蓋部材６を開放状態とし、図５（ａ）に示すように塗布部５の塗布面１５を携帯型情報端末のディスプレイＳ表面に押し当てながらディスプレイ保護膜形成具１を掃引すると、塗布面１５に滲出している保護液ＬがディスプレイＳ表面に塗布される。
【００５７】
このとき、保護液ＬはディスプレイＳの表面を層状に被覆するが、一部において塗布中に塗布面１５から滲出する保護液Ｌが不均一に塗布される、若しくは塗布面１５の外周縁部分が既に塗布されている保護液Ｌを押しのけることによって、余分な保護液Ｌが付着し、周囲の保護液層とは厚さの異なる液斑Ｌ１が生ずる。液斑Ｌ１を放置したまま乾燥させると保護膜の厚みが不均一になりディスプレイＳの美観が損なわれる等の不良要因となりうる。
【００５８】
従って保護液Ｌを塗布した直後に、胴体部材２の一端と他端とを反転させて拭取部蓋部材８を開放状態とし、図５（ｂ）に示すように拭取面２６をディスプレイＳ表面に押し当てながらディスプレイ保護膜形成具１を掃引すると、液斑Ｌ１を形成する余分な保護液Ｌを多孔質拭取部材２３に吸収させることができる。
【００５９】
余分な保護液Ｌを拭き取ることによって液斑Ｌ１を除去することができる。液斑Ｌ１が除去された保護液Ｌ層はその後乾燥することによって、厚みの均一で表面形状が平滑な保護膜Ｆ１が形成される。
【００６０】
このようにして形成された保護膜Ｆ１はディスプレイＳの表面を傷や汚れ等の欠陥の発生から保護し、ディスプレイＳの視認性及び美観を保持する機能を有する。
【００６１】
ここで、保護液Ｌは保護膜Ｆ１の形成後すぐに携帯型情報端末を使用できるようにするため速乾性であることが好ましい。本願発明に係るディスプレイ保護膜形成具１は胴体部材２の他端部に拭取部７を備えるので、速乾性の保護液Ｌが乾燥する前に拭取り作業を開始することができる。
【００６２】
しかし、その後の携帯型情報端末の使用継続によって保護膜Ｆ１自体には図５（ｃ）に示すような欠陥Ｄが発生する。
【００６３】
このように、保護膜Ｆ１に欠陥Ｄが発生した場合には、図５（ｄ）、（ｅ）に示すように保護膜Ｆ１の表面上に再び塗布部５を用いて保護液Ｌを塗布し、拭取部７を用いて液斑Ｌ２を除去することにより、欠陥Ｄが埋められると共に保護膜Ｆ１上に平滑な保護膜Ｆ２を形成することができる。保護膜Ｆ２は保護膜Ｆ１と同一成分の保護液Ｌからなるため、保護膜Ｆ１と保護膜Ｆ２との境界に存在する欠陥Ｄをみえなくすることができる。これにより、保護膜Ｆ１の形成直後と同等の優れた視認性及び美観を保持する保護膜を再生することができる。
【００６４】
なお胴体部材２には、図６に示すように、側壁からそれぞれ外方に突設された弾性板からなる塗布部開放係止部１２１、拭取部開放係止部１２８が形成されていても好ましい。塗布部蓋部材１０６は、閉塞状態から枢軸１１８を回転軸として半回転することによって塗布部蓋部材１０６の周壁の端部が塗布部開放係止部１２１に圧接して固定されることにより、図７に示すように開放状態が保持される。拭取部開放係止部１２８の開放動作についても塗布部開放係止部１２１と同様に行われる。なお、この場合軸穴１１７の内壁には突起は必要ない。また、図８には塗布部蓋部材１０６が開放された状態のディスプレイ保護膜形成具１の斜視図を示す。
【００６５】
次に、本願発明に係る第二の実施の形態について説明する。
【００６６】
第二の実施形態に係るディスプレイ保護膜形成具２０１は、胴体部材２０２の先端が頂角部である略三角形を呈する外形に形成されてなる。図９はディスプレイ保護膜形成具２０１の縦断面図を示す図である。胴体部材２０２の一端部には塗布部２０５が設けられ、胴体部材２０２の他端部には拭取部２０７が設けられている。
【００６７】
そして本体部材２０２には、塗布部蓋部材２０６及び拭取部蓋部材２０８が取付けられている。これらの蓋部材が閉塞状態となることで塗布部２０５及び拭取部２０７は被覆され、ディスプレイ保護膜形成具２０１の不使用時に外部との接触から保護される。なお、閉塞状態の塗布部蓋部材２０６及び拭取部蓋部材２０８が、ディスプレイ保護膜形成具２０１が呈する略三角形の底辺を挟む角部を、それぞれ形成する。
【００６８】
第二の実施形態では、塗布部２０５の塗布面２１５の向きと拭取部２０７の拭取面２２６の向きが拡開する方向となるように、すなわち塗布面２１５の垂線と拭取面２２６の垂線とが鈍角に交わる関係となるように備えられている。
【００６９】
このように構成することにより、塗布部２０５で保護液Ｌを塗布した直後の余分な保護液Ｌを拭き取るための動作を、本体部材２０２を持ちかえることなく、本体部材２０２の傾きを変えるだけで行なうことができる。従って、ディスプレイ保護膜形成具２０１を落とすこともなく、保護液Ｌの塗布作業及び拭き取り作業を連続して行なうことができる。
【００７０】
塗布部蓋部材２０６には、胴体部材２０２と係合し、閉塞状態を保持する蓋係合部２１９が設けられている。そして、胴体部材２０２には、当該蓋係合部２１９と係合可能な胴体係合部２２０が設けられている。
【００７１】
また、本体部材２０２の外縁内部であって、前記一端部及び他端部よりも頂角側には、軸溝２１７が形成されている。塗布部蓋部材２０６及び拭取部蓋部材２０７の上端部には当該軸溝２１７に挿し込まれた軸足２１８が形成されており、軸足２１８を当該軸溝２１７に沿って移動させることによって塗布部蓋部材２０６及び拭取部蓋部材２０７を閉塞状態から開放状態にすることができる。
【００７２】
なお、軸足２１８は、中央部分が胴体部材２０２の厚み方向に突出した構造に形成されている。そして、軸溝２１７の中央部も胴体部材２０２の外縁に沿って厚み方向に幅広に形成されており、当該幅広部に軸足２１８の突出部を嵌め込むことによって、蓋部材の開閉動作中に軸足２１８が軸溝２１７から脱離することはない。
【００７３】
軸溝２１７の上端部の内面には、軸足２１８を係止可能な突起が設けられ、塗布部開放係止部２２１及び拭取部開放係止部２２８が形成されている。それぞれの係止部２２１，２２８において、軸足２１８を前記突起よりも上側に押し込むことにより蓋部材を固定し、図１０に示すように開放状態を保持することができる。
【００７４】
なお、塗布部２０５及び拭取部２０７は、第一の実施形態で述べた塗布部５及び拭取部７と同一構造を備えるものである。塗布部２０５は、塗布側保持部材２１３に設けられた貫通孔２１４に多孔質塗布部材２１２が挿入されてなる。さらに塗布部２０５は、容体２０３と同一構造である容体２０３の開口２０４に装着されている。
【００７５】
容体２０３の開口２０４の内側には多孔質ポリウレタン樹脂からなる多孔質栓２１０が嵌入されており、保護液Ｌは一気にこぼれ出ることがない。
【００７６】
容体２０３を装着した塗布部２０５は、胴体部材２０２の一端部に設けられた塗布部取付穴２１１に挿入することにより、胴体部材２０２の一端部に設置される。このとき容体２０３は塗布部取付穴２１１内部に格納される。
【００７７】
また、拭取部２０７は、拭取側保持部材２２４に設けられた保持孔２２５に多孔質拭取部材２２３が挿し込まれてなる。胴体部材２０２の他端部には拭取部取付穴２２７が形成されており、拭取側保持部材２２４を挿し込むことによって、拭取部２０７を取付けることができる。
【符号の説明】
【００７８】
１    ディスプレイ保護膜形成具
２    胴体部材
３    容体
４    開口
５    塗布部
６    塗布部蓋部材
７    拭取部
８    拭取部蓋部材
１２  多孔質塗布部材
１５  塗布面
１７  軸穴
１８  枢軸
２１  塗布部開放係止部
２３  多孔質拭取部材
２６  拭取面
２８  拭取部開放係止部
Ｌ    保護液
Ｌ１  液斑
Ｄ    欠陥
Ｆ１  保護膜
Ｆ２  保護膜
【図１】
2012234003.tif 000003
【図２】
2012234003.tif 000004
【図３】
2012234003.tif 000005
【図４】
2012234003.tif 000006
【図５】
2012234003.tif 000007
【図６】
2012234003.tif 000008
【図７】
2012234003.tif 000009
【図８】
2012234003.tif 000010
【図９】
2012234003.tif 000011
【図１０】
2012234003.tif 000012